(57)【特許請求の範囲】
【請求項１】
偶数の辺を有する底板と、該底板の各辺と同一位相で対向する辺を含み、かつ底板の辺の倍数の辺を有する頂板とが、側板で互いに対向して組立てられている包装ケースの前記側板の複数箇所に、二つの縁辺を有し、該二つの縁辺が前記包装ケースの組立て時に内側板の裏面に密接する様に選定されたコーナーウェブによって形成された、ケース内側へ突出する折込み部を備えており、該折込み部の上面と頂板との間に、包装ケースに内装されたトレーの開口部周縁の外向きフランジが挿入、載置されているトレーを内装した包装ケース。
【請求項２】
底板に、トレーの外向きフランジの内側縁の外周形状と同形の易破断線囲繞部が形成されている請求項１記載のトレーの内装されている包装ケース。
【発明の詳細な説明】
【０００１】
【産業上の利用分野】
本発明は、食品類が収納されたトレーが包装されている包装ケースに関する。
【０００２】
【従来の技術】
従来、食品類を販売する際の簡易容器として、アルミ箔，プラスチックシート，樹脂コーティング紙料等で成形されたトレーが多用されているが、比較的強度のあるアルミ箔トレーは、アルツハイマー痴呆性の原因となるとの説があり、該トレーがアルミ箔以外の材料のトレーに置換される傾向がある。
【０００３】
しかし、前記アルミ箔以外の材料で成形されたトレーは、強度が小さく、販売，運搬，電子レンジによる加熱等の際に変形しやすく、電子レンジによる加熱時の挿入，取り出し時に摘持部が変形しやすいのみでなく、加熱時の熱のため手指による取り出しに困難を伴う等の問題を有している。
【０００４】
食品類の収納されているトレーの販売，運搬等の際における他物品との衝接等による変形を防止するため、通常の紙箱に収納する手段も採用されているが、単に箱底にトレー底部を当接させ、紙箱の側板をトレー口部の外向きフランジの外端に当接させているにすぎないので、衝撃の作用時にトレーのホールドが不十分でトレーの変形を生じやすいし、該紙箱はトレーの収納以外の利用法が全くないものである。
【０００５】
【発明が解決しようとする課題】
前記従来のトレーとその包装箱の有する問題点に鑑み、本発明は、アルミ箔以外の材料で成形された強度の小さいトレーを、販売，運搬時の変形を生ずることなく保持でき、また電子レンジによる加熱時にも、変形や熱の影響を受けることなく手指で容易に挿入，取り出しができ、加熱後にはトレーをセットしたケースごと、テーブル上に載置することも可能な、トレーを内装した包装ケースを提供することを課題としている。
【０００６】
【課題を解決するための手段】
前記課題を解決するため、本発明のトレーを内装した包装ケースは、偶数の辺を有する底板と、該底板の各辺と同一位相で対向する辺を含み、かつ底板の辺の倍数の辺を有する頂板とが、側板で互いに対向して組立てられている包装ケースの前記側板の複数箇所に、二つの縁辺を有し、該二つの縁辺が前記包装ケースの組立て時に内側板の裏面に密接する様に選定されたコーナーウェブによって形成された、ケース内側へ突出する折込み部を備えており、該折込み部の上面と頂板との間に、包装ケースに内装されたトレーの開口部周縁の外向きフランジが挿入、載置されている（請求項１）。
【０００８】
ここで、トレーの内装されている包装ケースは、底板に、トレーの外向きフランジの内側縁の外周形状と同形の易破断線囲繞部が形成される様に構成することが可能である（請求項２）。
【０００９】
【作用】
請求項１の発明によると、頂板が、底板の偶数の各辺に、同一位相で対向する辺のほかに、底板の各辺に非対向の同数の辺を有するので、この非対向の辺に連続する側板部分を利用してケース内側への折込み部を形成でき、しかも折込み部を形成してもケース容量の減少を僅かに止め、ケースの基本形態を失うことがない。
【００１０】
またケースに内装されたトレーは、底板と側板とによる保持のほかに、折込み部の上面と頂板との間で外向きフランジ部が保持されるので、横方向や上下方向におけるトレー保持性能が向上し、トレーの変形を防止すると共に、ケース自体の剛性も向上する。
【００１１】
請求項２の発明によると、包装ケースの側板の一部を周知手段によって開け、トレーを取り出したのち、底板の易破断線囲繞部を易破断線に沿って切除して窓穴部とし、この窓穴部にトレーを嵌入させると、トレーの外向きフランジが窓穴部周縁の底板によって受止されるので、トレーは包装ケースによって安定して支持される。
【００１２】
この状態となると、トレーは逆置された包装ケースと一体として把持できるので、電子レンジへの挿入，加熱後の取り出しを安全に行いうるし、そのままテーブル上に静置させることも可能となる。
【００１３】
【実施例】
図１ないし図６は、請求項１および請求項２の両発明を併せて、角深鉢形状のトレーの包装に適用したた実施の一例を示している。
【００１４】
図示例の包装ケースのケース体１は、偶数の辺を有する底板３、図示例では４辺の正四角形の底板３と、底板３の各辺と同一位相で対向する辺を含み、かつ底板３の辺の倍数の辺、図示例では８辺を有する頂板２とが、側板で互いに対向して組み立てられており、そのグランクは図６に示す展開図の形状とされているが辺の数は図示例に限定されるものではない。
【００１５】
すなわち、図１，図２および図６に示されるごとく、四角形の底板３の第１辺４、第２辺５、第３辺６、第４辺７とは組立て時に頂板２の第１長辺８、第２長辺９、第３長辺１０、第４長辺１１と同一位相を占めて対向するよう配設されている。
【００１６】
頂板２の第１長辺８と底板３の第１辺４とはフランクにおいて平行配置とされ、台形の第１側板１２の頂辺１３と底辺１４とにおいて一連に連続させられている。
【００１７】
頂板２の第１長辺８の両側の第１短辺１５と第２短辺１６と、前記第１側板１２の両側辺１７，１８との間には、頂板２の第３，第４の長辺１０，１１および底板３の第３，第４の辺６，７より外側方へ膨出したコーナーウエブ１９，２０が、頂板２および第１側板１２と一連に形成されている。
【００１８】
頂板２の第１長辺８と対称位置の第２長辺９には、前記第１側板１２、コーナーウエブ１９，２０との組と対称形状の第２側板２１とコーナーウエブ２２，２３との組が一連に形成されている。
【００１９】
頂板２の第３長辺１０と第４長辺１１とには、各長辺を頂辺とする対称形状の外側板２４，２５が連続させられている。
【００２０】
底板３の第２辺５には、前記第２側板２１の背面に貼着される貼着片６が連続させられ、第３辺６と第４辺７とには外側板２４，２５と対称形状の内側板２７，２８が連続させられている。
【００２１】
前記各コーナーウエブ１９，２０，２２，２３には、頂板２の第１，第２の各長辺８，９の延長線上に、外折り線２９，３０，３１，３２が形成されており、頂板２と底板３と第１，第２の両側板１２，２１とにおける各辺部分は、すべて内折り線が形成されている。
【００２２】
前記コーナーウエブ１９，２０，２２，２３は、頂板２の背面側へ倒Ｖ字形に折り込まれ、内側板２７，２８は外側板２４，２５の背面に貼着され、貼着片２６は、第２側板２１の背面に貼着されて、図１，図２に示されるケース体１を形成している。
【００２３】
ケース体１内には、図３に示される角深鉢形状のトレー３３がケース体１の組立て工程の任意の工程段階で内装され、口部外周縁に形成されている外向きフランジ３４が、図１および図４に示されるように、コーナーウエブ１９，２０，２２，２３が頂板２の背面側へ倒Ｖ字形に折り込まれることにより形成された段部３５と、頂板２の背面との間に挿入，載置されて係止されている。
【００２４】
各コーナーウエブ１９，２０，２２，２３は、頂板２の背面側へ倒Ｖ字形に折り込まれた際に縁辺３６，３７が図１に示されるごとく、内側板２７，２８の裏面に密接し、倒Ｖ字形の折込み部３８が閉塞されるよう膨出寸法が選定されている。
【００２５】
前記外側板２４には開封用の易破断線３９，４０が形成されており、外側板２４と内側板２７との貼着線４１は、易破断線３９，４０より下方に形成されている。
【００２６】
図１および図６において、符号４２は外側板２４に設けられた掛止爪片であり、符号４３は内側板２７に開設された掛止孔であって易破断線３９，４０により切除片４４を切除して開封したのち、掛止爪片４２を掛止孔４３に挿入することにより、外側板２４が閉塞位置に係止される。
【００２７】
底板３には、易破断線４５で囲繞された囲繞部４６が形成されており、囲繞部４６の形状，寸法は、図３，図４に示されるトレー３３の外向きフランジ３４の内側縁４７の外周形状と同形とされている。
【００２８】
図１，図６における符号４８は、前記囲繞部４６の切り取り用の摘持部であり、易破断線４９で囲まれている。
【００２９】
外側板２４の切除片４４を切除して、外側板２４と内側板２７とを開封し、トレー３３を取り出したのち、摘持部４８を切り起こし、易破断線４５で囲繞されている囲繞部４６を切除し、形成された窓穴部にトレー３３を挿入すると、窓穴部の周縁たる底板３の残部によって、トレー３３の外向きフランジ３４が図５に示されるように支持される。
【００３０】
図５に示す状態とすると、電子レンジへの挿入，配置ならびに加熱後の取り出しを、ケース体１をトレー３３と共に把持することにより確実かつ熱の影響を受けることなく安全に行えるし、そのままテーブル上に安定した姿勢で載置することができる。
【００３１】
ケース体１およびトレー３３の材質としては、樹脂コーティングした紙料のほか、耐熱性のプラスチックシートでもよく、またケース体１の形状は正四角形，長方形あるいは正六角形，長六角形等任意の形状が選定できる。
【００３２】
【発明の効果】
請求項１の発明によると、包装ケースに内装されているトレーの外向きフランジが、頂板とケース内側へ折り込まれた折込み部の上面との間で保持されるので、包装ケースによるトレーの支持が底板と側板とによる支持に、前記頂板と折込み部の上面とによる保持が加わり、トレー保持性能が向上する効果がある。
【００３３】
また折込み部は、頂板の辺のうちの、底板の辺と非対向の辺に連続する側板部分を利用して形成できるので、折込み部の形成に起因するケース容量の減少を僅かに止め、かつケースの基本形態を失わしめることがなく、販売時に横倒し状態とした縦陳列も可能としうる効果がある。
【００３４】
包装ケースは、側板部分を利用した折込み部の形成により剛性が向上し、変形の恐れが少なく、従ってトレーの変形も防止できる効果をも奏する。
【００３５】
請求項２の発明によると、底板の易破断線囲繞部の切除によって形成された窓穴部の周縁により、該窓穴部へ嵌入されたトレーは外向きフランジを受止され、安定姿勢となるので電子レンジへの挿脱を安全確実に行わしめうる効果を奏し、そのままでテーブル上に安定して載置させうる効果も有する。
【図面の簡単な説明】
【図１】実施の一例の一部切欠斜視図である。
【図２】図１に示すものの底部の斜視図である。
【図３】内装されるトレーの一例の斜視図である。
【図４】図１中Ａ−Ａ線略示断面図である。
【図５】底板の窓穴部へトレーを嵌装した状態を示す斜視図である。
【図６】図１に示すもののブランクの展開図である。
【符号の説明】
２  頂板
３  底板
４，５，６，７  偶数の辺
８，９，１０，１１  対向する辺
１２，２１，２４，２５，２７，２８  側板
３３  トレー
３４  外向きフランジ
３８  折込み部
４６  易破断線囲繞部
【図１】
0003660377.tif 000002
【図２】
0003660377.tif 000003
【図３】
0003660377.tif 000004
【図４】
0003660377.tif 000005
【図５】
0003660377.tif 000006
【図６】
0003660377.tif 000007